(57)【特許請求の範囲】
【請求項１】
人体の局部を冷却又は加熱する高熱伝導性材料の可撓性シートからなる第一熱交換部と液媒体送出手段により液媒体を循環させる媒体循環路とペルチェ素子の放熱あるいは吸熱によって液媒体に熱を伝える第二熱交換部とを備えた人体の局部冷暖房装置において、第二熱交換部が、第二熱交換部ケーシングとペルチェ素子とポンプからなる液媒体送出手段を備えると共に、ペルチェ素子表面とポンプ羽根の面が平行になるように設置され、液媒体は第二熱交換部ケーシング内の中心部から流入し、ペルチェ素子表面とポンプ羽根部の面の隙間を通過して、第二熱交換部ケーシングの外側から流出すること特徴とする特徴とする人体の局部冷暖房装置。
【請求項２】
ペルチェ素子は液媒体に直接接触するように構成されたこと特徴とする請求項１に記載の人体の局部冷暖房装置。
【請求項３】
ペルチェ素子との密着面に第二熱交換部ケーシングの開口部を設け、開口部を通して液媒体がペルチェ素子に直接接触されるようにしたことを特徴とする請求項１〜請求項２に記載の人体の局部冷暖房装置。
【請求項４】
ペルチェ素子と放熱手段との接合部に補助熱伝導部材を設けたことを特徴とする請求項１〜請求項３に記載の人体の局部冷暖房装置。
【請求項５】
第一熱交換部の内部の温度を検出する温度検出器と、温度検出器の温度検出信号によって液媒体送出手段とペルチェ素子の少なくとも１つを制御する温度制御手段を備え、温度制御手段によって、人体の局部を冷却あるいは加熱することを特徴とする請求項１〜請求項４に記載の人体の局部冷暖房装置。
【請求項６】
人体の局部が首筋部、脇の下部、あるいは腹部であることを特徴とする請求項１〜５に記載の人体の局部冷暖房装置。
【請求項７】
請求項１〜６に記載の人体の局部冷暖房装置を内蔵した冷暖房スーツ。
【請求項８】
請求項１〜６に記載の人体の局部冷暖房装置を内蔵した冷暖房座席シート。
【発明の詳細な説明】
【技術分野】
【０００１】
本発明は、高温環境下における作業者や入浴介護者などの肉体的負担を軽減させるために、体温を低下あるいは上昇させて体温を調整する人体の局部冷暖房装置に関するものである。
【背景技術】
【０００２】
高温環境下に従事する作業者、例えば果樹農園で作業する場合は、秋の収穫のための最も作業量の多いのは、６月から８月の炎天下であるため猛暑との関係から快適に作業できる防暑用装置が必要とされている。
また、高年齢の人口増加に伴い、最近では介護施設が増加し、入浴介護者などの肉体的な負担が大きくなってきており、体温を下げるための冷房用衣類が熱望されている。
また極寒地域での屋外での作業も防寒用の衣類が重く、作業の困難さが叫ばれており、軽くまた快適な暖房用衣類が必要とされている。
車椅子などの利用者の夏場の屋外での移動時は、炎天下で座席が暑く、快適な座席シートが望まれている。
人などの体温の所望の冷却にかかる場合、例えば頭部（額やこめかみなど）、首筋、腕などを継続的に冷却する際には、従来から水枕、氷枕、氷嚢、アイスノン（商標名）などの保冷材などが使用されている。例えば、特許公開２００２−１２５９９４の文献には、保冷パックを用いる帯状の防暑具が記載されている。
【０００３】
以下、従来技術について説明する。
【０００４】
ここでは、先述の文献にもある帯状の防暑具を例として説明する。
従来技術の帯状防暑具は、帯状に加工した不織布または織布の長手方向略中央部分に袋部を有する装着用具と、該袋部に取り出し自在に収納された保冷パックを具備するものである。
図５に従来技術の帯状防暑具の一例を示す。この防暑具１は、不織布を帯状に加工し、略中央部分の一方を開放して帯状に加工した装着用具２と装着用具に収納する保冷パック３とで構成されている。
【特許文献１】特許公開２００２−１２５９９４
【発明の開示】
【発明が解決しようとする課題】
【０００５】
しかしながら、上記のような従来の冷却のための用具は、使用当初では、冷却効果が保持されるが、時間の経過に伴い、体温や外気温の上昇に伴い、保冷パックの温度が上昇してしまい、冷却効果が長続きしないことになる。このような場合は、使用後のある時間時点で予備の冷却のための保冷パックと交換しなければならず、手間が多くかかるという課題がある。
また、冷却効果を大きくするために、直接人体の肌表面に直接に接触する場合は、温度が低すぎて快適さが得られないことになる。
【０００６】
本発明はこのような従来の課題に着目し、高温環境下における作業者や入浴介護者などの肉体的負担を軽減させるために、小型でかつ高効率の人体の局部冷暖房装置あるいは冷暖房スーツ等を提供するものである。
【課題を解決するための手段】
【０００７】
本願の特許請求の範囲、明細書等に用いられる用語の解釈上の疑義を解消すべく、以下用語の説明を行う。
＜用語の説明＞
○ペルチェ素子とは、２種類の金属の接合部に電流を流すと、片方の金属からもう片方へ熱が移動するという「ペルチェ効果」を利用した電子部品の一つをいう。
【０００８】
本発明においては、人体の局部を冷却する場合には、ペルチェ素子は液媒体を加熱するように２種類の金属の接合部に電流を流し、逆に人体の局部を暖房する場合には、ペルチェ素子は液媒体を冷却するように２種類の金属の接合部に電流を流す。
○熱的接合とは、
○放熱とは、熱を外に放出することをいい、冷熱を外に放出する場合と温熱を外に放出する場合の両方を含む。
○ヒートシンクとは、別名放熱板ともいい、放熱のために使われる金属製の板のこと。発熱のために誤動作する可能性のある部品の冷却に使用される。放熱ファンと組み合わせて利用されることも多い
本発明の課題を解決するための手段は、本願特許請求の範囲に記載された各請求項の発明である。
【０００９】
具体的には、以下に示す通りである。
［請求項１］人体の局部を冷却又は加熱する高熱伝導性材料の可撓性シートからなる第一熱交換部と液媒体送出手段により液媒体を循環させる媒体循環路とペルチェ素子の放熱あるいは吸熱によって液媒体に熱を伝える第二熱交換部とを備えた人体の局部冷暖房装置において、第二熱交換部が、第二熱交換部ケーシングとペルチェ素子とポンプからなる液媒体送出手段を備えると共に、ペルチェ素子表面とポンプ羽根の面が平行になるように設置され、液媒体は第二熱交換部ケーシング内の中心部から流入し、ペルチェ素子表面とポンプ羽根部の面の隙間を通過して、第二熱交換部ケーシングの外側から流出すること特徴とする特徴とする人体の局部冷暖房装置。
【００１０】
本発明の特徴は、第二熱交換部が、第二熱交換部ケーシングとペルチェ素子とポンプからなる液媒体送出手段を備えたことを特徴とする人ことである。すなわち、第二熱交換部（、第二熱交換部ケーシングとペルチェ素子を含む。）と、ポンプからなる液媒体送出手段とを一体的に構成したことである。かかる構成により、別々に構成するよりも、コンパクトにすることができ人体の局部冷暖房装置に要求されるコンパクト性を実現することが可能となる。
すにわち、ポンプは、厚さ１０ｍｍ程度のマイクロポンプとして、ペルチェ素子と熱的接合させることにより、第二熱交換部（マイクロ熱交換機構）を形成します。
ペルチェ素子表面とポンプ羽根部とを一体的に形成させて、ポンプの回転に伴って、ペルチェ素子表面とポンプ羽根部の面に挟まれた液媒体が速度勾配がつくことにより、温度境界層を破壊して格段に熱伝達効率を高めた超小型熱交換器を実現することができる。
［請求項２］ペルチェ素子は液媒体に直接接触するように構成されたこと特徴とする請求項１に記載の人体の局部冷暖房装置。
【００１１】
ペルチェ素子は液媒体に直接接触する構造は、熱伝導性を高めることができ、熱効率の高い人体の局部冷暖房装置を実現でき、コンパクト化も実現することが可能となる。
［請求項３］ペルチェ素子との密着面に第二熱交換部ケーシングの開口部を設け、開口部を通して液媒体がペルチェ素子に直接接触されるようにしたことを特徴とする請求項１〜請求項２に記載の人体の局部冷暖房装置。
［請求項４］ペルチェ素子と放熱手段との接合部に補助熱伝導部材を設けたことを特徴とする請求項１〜請求項３に記載の人体の局部冷暖房装置。
［請求項５］第一熱交換部の内部の温度を検出する温度検出器と、温度検出器の温度検出信号によって液媒体送出手段とペルチェ素子の少なくとも１つを制御する温度制御手段を備え、温度制御手段によって、人体の局部を冷却あるいは加熱することを特徴とする請求項１〜請求項４に記載の人体の局部冷暖房装置。
［請求項６］人体の局部が首筋部、脇の下部、あるいは腹部であることを特徴とする請求項１〜５に記載の人体の局部冷暖房装置。
【００１２】
本発明は、人体の局部の冷暖房を考えており、衣服全体に循環するのが目的でなく、首筋や脇の下や腹部などの人体の局部に熱伝導性シートを直接あてる熱交換構造としており、極めて軽量で安価な冷暖房用マイクロ熱交換器を実現することができる。
［請求項８］請求項１〜７に記載の人体の局部冷暖房装置を内蔵した冷暖房スーツ。
［請求項９］請求項１〜７に記載の人体の局部冷暖房装置を内蔵した冷暖房座席シート。
本発明を上記のような構成とすることにより、冷却効率の高く安定的な冷房あるいは暖房効果を発揮する人体の局部冷暖房装置を得ることができ、そしてかかる人体の局部冷暖房装置を搭載した冷暖房スーツや人冷暖房座席シートは小型で高性能な温度制御機能が実現されるものである。
【発明の効果】
【００１３】
以上のように本発明は、人体の首筋や脇の下や腹部などの局部から熱を吸収あるいは付与することで、人体の体温を調整する冷暖房スーツ用の人体の局部冷暖房装置として熱伝達率を極めて高く構成することができるために、冷房あるいは暖房性能の高い装置を得ることができるものである。そして極めて小型化・軽量化に構成することができるために、高温作業下での作業従事者用の冷暖房スーツや、身障者用の温度制御座席シートとして搭載する人体の局部冷暖房装置として最適なものである。
【発明を実施するための最良の形態】
【００１４】
以下本発明の実施の形態について、図面を参照しながら説明する。
【００１５】
（実施の形態１）
本発明の実施の形態１を示す人体の局部冷暖房装置の概要断面図を図１に示している。１０１は高熱伝導率を有する金属材料、例えば銅合金あるいは純アルミニューム等で形成された第二熱交換部ケーシングであり、液媒体送出手段１０４のケーシングと兼ね備えている。１０２は、一般的にペルチェ素子と呼ばれる電子素子であり、第二熱交換部ケーシング１０１と平面的に密着されており、熱的接合となっている。１０３は、放熱手段であり、例えば放熱ファン１０３ａ及びヒートシンク１０３ｂとで構成されており、ヒートシンク１０３ｂとペルチェ素子１０２は、密着して熱的接合されており、ペルチェ素子１０２の熱量を放熱できるようになっている。１０８は、係止部材であり、放熱手段１０３とペルチェ素子１０２とを、ならびに第二熱交換部ケーシング１０１とを一体的に係止するためのものである。係止部材１０８は、例えば合成樹脂成形等から形成された部材であり、熱伝導率は上記第二熱交換部ケーシング１０１よりも小さい材料からなっている。
液媒体送出手段１０４と第二熱交換部ケーシング１０１とは、第二熱交換部ケーシング１０１の外周縁が密閉（水密）接合されて一体的に組み付けられている。この密閉接合は例えばゴム製のＯリング（図示せず）等を使用することができる。
また、ペルチェ素子１０１は、第二熱交換部ケーシング１０１とその外周縁が密閉（水密）的に接合固定されている。この密閉的接合固定は例えばゴム製のＯリング（図示せず）等を使用することができる。
また、本実施の形態においては、第二熱交換部ケーシング１０１とペルチェ素子１０２との接合面において、第二熱交換部ケーシング１０１には、数箇所の穴すなわち開口部１１７と設けている。
【００１６】
１０５は第二熱交換部ケーシング１０１とペルチェ素子１０２によって密閉された空間内に充填された液媒体であり、これは、例えばプロプレングリコール等のアルコール水溶液からなる。従って、液媒体１０５と第二熱交換部ケーシング１０１とは直接接触し、また同様に液媒体１０５とペルチェ素子１０２も第二熱交換部ケーシング１０１の開口部１１７と通じて、直接接触して、これらは熱的接合されている。
【００１７】
１０４は、例えば、扁平形状の遠心ポンプからなるポンプ（液媒体送出手段）であり、ケーシングは、第二熱交換部ケーシング１０１を兼ねている。
【００１８】
ポンプ１０４の他方の扁平部にはモータ１０４ａが設けられており、そのモータ軸１０４ｂにはポンプ羽根部１０７が一体的に結合されている。１０９はポンプ１０４へ至る液媒体１０５の入口側液媒体循環路であり、１１１はポンプ１０４から液媒体１０５が送出される出口側液媒体循環路である。ポンプ１０４の入口側液媒体循環路１０９はこのポンプ１０４のケーシングを兼ねる第二熱交換部ケーシング１０１の一方の扁平面側、すなわちペルチェ素子１０２側に配置されており、液媒体流入口１１０は、入口側液媒体循環路１０９から入り込んだ液媒体１０５が、第二熱交換部１２０へ流入する入口であり、ポンプ羽根部１０７の略回転中心付近（第二熱交換部１２０の略中心付近）に位置している。
【００１９】
１０６は第一熱交換部であり、可撓性のあるゴムチューブなどで形成される液体循環路１１６と、シート状の熱伝導率の高い可撓性のある材料とで形成されている。ポンプ１０４の入口側液媒体循環路１０９と第一熱交換部１０６の液媒体循環路の第一熱交換部出口１１４とは、熱媒体循環路（可撓性のホース）１１２ａで接続されている。
第二熱交換部１２０の出口側液媒体循環路１１１と第一熱交換部１０６の液媒体循環路の第一熱交換部入口１１３とは、熱媒体循環路（可撓性のホース）１１２ｂで接続されている。
【００２０】
ここで、液媒体１０５はポンプ１０４、ホース１１２ａ、１１２ｂ及び液体循環路１１６内に充満されている。モータ１０４ａの駆動によるポンプ１０４のポンプ羽根部１０７の回転によって液媒体１０５は第二熱交換部ケーシング１０１の入口側液媒体循環路１０９から吸引され、続いて略中央付近の液媒体流入口１１０から流入され、円周方向へと導かれ、出口側循環路１１１を経て、液媒体循環路１１２ａ、１１２ｂ、１１６を循環させられる。
【００２１】
＜第一熱交換部１０６における冷却動作について＞
つぎに、温度制御機能の一例である第一熱交換部１０６における冷却動作について説明する。
【００２２】
第一熱交換部１０６は、可撓性の受熱シート１１５及び同じく可撓性でかつ熱伝導性の高い材料で形成される液体循環路１１６で構成されており、人体の首筋や脇の下や腹部などの局部に密着されるように配置される。ここで、人体の発熱量すなわち体温は、受熱シート１１５及び液体循環路１１６を経由して、内部に循環される液媒体１０５に伝達される。
【００２３】
次に、第二熱交換部ケーシング１０１内部に具備されるポンプ１０４に図示しない電源供給装置から駆動電力を入力されて、ポンプ１０４のモータ１０４ａ及びモータ１０４ａに一体的に形成されるモータ軸１０４ｂは回転させられ、モータ軸１０４ｂに一体的に係止されるポンプ羽根部１０７は、第二熱交換部ケーシング１０１の内部を回転させられる。ここで、前述のように液媒体流入口１１０から流入する液媒体１０５は、ポンプ羽根部１０７の回転に伴って、遠心方向へ押し出され、出口側液媒体循環路１１１からホース１１２ｂへと循環させられる。従って、密閉的に循環路となる第一熱交換部１０６の内部の液媒体も黒色矢印のように継続的に循環させられることになる。
【００２４】
また、第二熱交換部ケーシング１０１と熱的接合されるペルチェ素子１０２も同様に、図示しない電源供給装置から駆動電力を入力されて、第二熱交換部ケーシング１０１と密着する面側と吸熱側に、また放熱手段１０３であるヒートシンク１０３ｂとの密着する面側と放熱側とすることによって、第二熱交換部ケーシング１０１は、吸熱されて温度が低下させられる。
【００２５】
特に、第二熱交換部ケーシング１０１のペルチェ素子１０２との密着面側には、複数の開口部１１７を設けているため、液媒体１０５にあってはペルチェ素子１０２及びペルチェ素子１０２の作用によって温度が低下させられた第二熱交換部ケーシング１０１との熱的接触によって、温度が低下させられる。ここで、液媒体１０５は、密閉的な循環路内を循環させられているために、温度が低下した液媒体１０５が第一熱交換部１０６へと導かれていくことは明白である。
【００２６】
ここで、ペルチェ素子１０２の放熱側にあっては、熱的接合されるヒートシンク１０３ｂにペルチェ素子１０２の放熱量は伝熱されて、放熱ファン１０３ａの白矢印の方向からの強制的な送風により、放熱される。
【００２７】
すなわち、第一熱交換部１０６で人体の発熱量すなわち体温は、吸収され第一熱交換部１０６の内部にある液媒体１０５の温度は上昇し、上述のようにペルチェ素子１０２で温度が低下させられて、この繰り返しによって、第一熱交換部１０６すなわち人体の局部での接触部分が、所望の冷却あるいは冷房が達成される。
特に、液媒体１０５が第二熱交換部ケーシング１０１の複数の開口部１１７を経由してペルチェ素子１０２に直接接触して熱伝導がなされるため、固体同士の接合部にみられるような熱伝導の悪化がなく、従って第二熱交換部ケーシング１０１からペルチェ素子１０２への熱伝導が極めて良好となり、冷却効率が向上するものである。
【００２８】
また、第二熱交換部ケーシング１０１において、液媒体１０５の入口側液媒体循環路１０９を経由して液媒体流入口１１０をペルチェ素子１０２と熱的に接合された一方の扁平面側に設けたことにより、液媒体１０５がペルチェ素子１０２側から液媒体流入口１１０を通してポンプ１０７部分へと流入されるため、第二熱交換部ケーシング１０１と液媒体１０５の接触境界部分は、ポンプ１０４の回転に伴うポンプ羽根部１０７の回転運動によって、また複数の開口部１１７によって、液媒体１０５の第二熱交換部ケーシング１０１内部の流れは大きく乱されて、ペルチェ素子１０２の吸熱量の液媒体への伝熱効率が格段に向上する特徴がある。
また、第二熱交換部ケーシング１０１に複数個の開口部１１７を設けることにより、液媒体１０５がペルチェ素子１０２に直接接触し、かつ開口部１１７により第二熱交換部ケーシング１０１の内面が複数の凹凸形状となるために第二熱交換部ケーシング１０１の内部、すなわちポンプ１０４の内部で液媒体１０５の循環流れに大きな乱れが生じ、これにより上述と同様に熱伝導による温度境界層が乱れてペルチェ素子１０２から液媒体１０５への熱伝達率、いわゆる熱の伝わり方が格段に良くなり、冷却効率は大幅に向上するものである。
【００２９】
上記の説明では、第二熱交換部ケーシング１０１とペルチェ素子１０２及びヒートシンク１０３ｂは、直接接触させたが、より熱伝導を向上させるためにその接合部には熱伝導性グリース等を塗布する等の補助熱伝導部材を介在させるのが望ましい。
【００３０】
また、上述の人体の局部冷暖房装置は、第一熱交換部を一箇所だけで説明したが、ホース１１２ａ、１１２ｂと並列的に分岐させて、複数の第一熱交換部として左右の脇の下など複数の冷却効果を持たせるように構成しても全く問題ない。
【００３１】
＜第一熱交換部１０６における加熱動作について＞
上記において、＜第一熱交換部１０６における冷却動作について＞のうち、ペルチェ素子に印架する電流の向きを変えて、第二熱交換部において、液媒体を加熱していたのに対して、液媒体を冷却する点が相違し、第一熱交換部において、人体の局部を冷却していたのに対して、第一熱交換部が人体の局部を加熱する点が相違している。
これ以外は、＜第一熱交換部１０６における冷却動作について＞において説明した内容と同じである。
【００３２】
（実施の形態２）
図２は本発明の実施の形態２の人体の局部冷暖房装置の概要を示す概略断面図である。
以下これについて説明する。図２において、図１の実施の形態１の温度制御と同一の構成部分については同一の符号が附してあり、その説明は省略し、異なる部分について説明する。
【００３３】
この図２の実施の形態２の人体の局部冷暖房装置は実施の形態１の人体の局部冷暖房装置に所望の冷房あるいは暖房効果が得られるように、温度制御が可能なようにしたものである。
すなわち、第一熱交換部１０６内部の液媒体１０５の温度を検出し、電気信号に変換するための温度検出器２０１を、液体循環路１１６に一体的に組込み、かつ温度検出器２０１からの温度情報をもとに、第一熱交換部１０６を所望の温度に調整するために、ペルチェ素子１０２の吸熱量と対応する駆動電力を調整するとともに、ポンプ１０４によって循環される液媒体１０５の送液量の調整のためにポンプ１０４の駆動を最適状態に制御する温度制御手段２０２を設けたことにある。
【００３４】
具体的には、温度検出器２０１によって検出される第一熱交換部１０６の温度情報を温度制御手段２０２に入力し、制御目標値によってポンプ１０４の駆動力及びペルチェ素子１０２の入力電力を調整するものである。
【００３５】
これにより、非常にきめ細かな温度制御が可能となり、過度の冷却による消費電力の増大を抑制することができるとともに、人体に対して冷えすぎあるいは暖めすぎを防止することができる。
【００３６】
なお、上記は温度制御手段２０２によりポンプ１０４とペルチェ素子１０２を制御するようにしたものである。具体的には、ポンプ１０４の送出量とペルチェ素子１０２の吸熱量あるいは加熱量の駆動条件を制御するようにしたものである。これはポンプ１０４の送液駆動条件のみ、あるいはペルチェ素子１０２の駆動条件のみを制御するようにしてもよく、第一熱交換部１０６の温度状況によって自動的にどれか１つのみ、あるいは２つ、さらに上記のように３つを同時に制御するようにしてもよい。
【００３７】
（実施の形態３）
図３は、人体の首筋や脇の下や腹部などの局部から熱を吸収あるいは付与することで、人体の所望の局部を冷房あるいは暖房する冷暖房スーツを構成する例であり、人体の局部冷暖房装置を人体の所望の局部に接触させるものであり、すなわち、実施の形態１あるいは２で説明した人体の局部冷暖房装置を備え、人体の接触面には第一熱交換部を密着させるようにしたものであり。たものである。なお、人体の局部冷暖房装置については、実施の形態１あるいは２と同様であるため説明は省略する。
【００３８】
これによれば、上記実施の形態１あるいは２で説明したと同様に、人体の特に温度を感じやすい部分として首筋や脇の下や腹部などを効率よく、冷房あるいは暖房できるものである。
【００３９】
（実施の形態４）
図４はさらに他の実施の形態を示す、車椅子などの座席を温度制御する例であり、人体の背中特に脇に近い部分には、実施の形態１あるいは２で示した人体の局部冷暖房装置を備えるものである。なお、人体の局部冷暖房装置については、実施の形態１あるいは２と同様であるため説明は省略する。
【００４０】
これによれば、上記実施の形態１あるいは２で説明したと同様に、人体の特に温度を感じやすい部分として首筋や脇の下や腹部などを効率よく、冷房あるいは暖房できるものである。
【００４１】
なお、上記各実施の形態１、２において、第二熱交換部ケーシングには複数個の開口部を設けたが、これは大きい目の１つの開口部であってもよく、またその開口部の形状は円形に限られるものではなく、方形状等その他の形状であってもよく、かつ複数個の開口部を設ける場合、その配列も特に制限はない。
【００４２】
また、ペルチェ素子、ポンプの少なくとも１つの駆動条件を制御する温度制御は実施の形態３、４にも適用することができるものである。
【００４３】
上記実施の形態３において、人体に接触する第一熱交換部とポンプならびに第二熱交換部ケーシングと離れて配置することにより、人体の装着する冷暖房スーツの重量やサイズを極めて小さく、負担になりにくく、作業など身動きがとりやすいのが大きな特徴である。
また、実施の形態４において、温度制御座席シートは車椅子用に限るものでなく、高温環境下での座席に適用しても同様の効果が得られるものである。
また、実施の形態１あるいは２では、放熱手段としてヒートシンクと放熱ファンによる強制空冷の例を示したが、人体の体温に比べ比較的に低い、外部空気による放熱効果を利用すると放熱ファンを用いなくとも同様の効果が得られる。
【図面の簡単な説明】
【００４４】
【図１】本発明の実施の形態１における人体の局部冷暖房装置の概略構成図
【図２】本発明の実施の形態２における人体の局部冷暖房装置の概略構成図
【図３】本発明の実施の形態３における冷暖房スーツの概略構成図
【図４】本発明の実施の形態４における温度制御座席シートの概略構成図
【図５】従来の帯状防暑具の概略構成図
【符号の説明】
【００４５】
１  防暑具
２  装着用具
３  保冷パック
１０１  第二熱交換部ケーシング
１０２  ペルチェ素子
１０３  放熱手段
１０３ａ  放熱ファン
１０３ｂ  ヒートシンク
１０４  液媒体送出手段
１０４ａ  モータ
１０４ｂ  モータ軸
１０５  液媒体（熱媒体）
１０６  第一熱交換部
１０７  ポンプ羽根部
１０８  係止部材
１０９  入口側液媒体循環路
１１０  液媒体流入口
１１１  出口側液媒体循環路
１１２ａ、１１２ｂ液媒体循環路（可撓性のホース）
１１３  液媒体循環路の第一熱交換部入口
１１４  液媒体循環路の第一熱交換部出口
１１５  可撓性の受熱シート
１１６  液媒体循環路
１２０  第二熱交換部
２０１  温度検出器
２０２  温度制御手段
【要約】
【課題】  高温環境下における作業者や入浴介護者などの肉体的負担を軽減させるために、小型で軽量かつ高効率の人体の局部冷暖房装置を提供する。
【解決手段】  人体の局部を冷却又は加熱する高熱伝導性材料の可撓性シートからなる第一熱交換部と液媒体送出手段により液媒体を循環させる媒体循環路とペルチェ素子の放熱あるいは吸熱によって液媒体に熱を伝える第二熱交換部とを備えた人体の局部冷暖房装置において、第二熱交換部が、第二熱交換部ケーシングとペルチェ素子とポンプからなる液媒体送出手段を備えたことを特徴とする人体の局部冷暖房装置。
【選択図】  図１
【図１】
0003682059.tif 000002
【図２】
0003682059.tif 000003
【図３】
0003682059.tif 000004
【図４】
0003682059.tif 000005
【図５】
0003682059.tif 000006